(57)【要約】【課題】車両整備用リフト装置の元電源の切り忘れを防止することを目的とする。【解決手段】元電源を供給する元電源線６に接続される配線用遮断器５に接続する車両整備用リフト装置の昇降装置２の電源線４と、該電源線４から分岐して設けた分岐電源線８と、該分岐電源線８に接続した照明装置９とよりなり、前記配線用遮断器５は、前記元電源線６と昇降装置２の電源線４との接続、又は遮断を行うように構成されると共に、該照明装置９は、前記配線用遮断器５の前記接続、又は遮断に応じて、点灯、又は消灯するように構成されていることを特徴とする。【選択図】図１
2018002111.tif 000002
【特許請求の範囲】
【請求項１】
元電源を供給する元電源線に接続される配線用遮断器に接続する車両整備用リフト装置の昇降装置の電源線と、
該電源線から分岐して設けた分岐電源線と、
該分岐電源線に接続した照明装置とよりなり、
前記配線用遮断器は、前記元電源線と昇降装置の電源線との接続、又は遮断を行うように構成されると共に、
該照明装置は、前記配線用遮断器の前記接続、又は遮断に応じて、点灯、又は消灯するように構成されていることを特徴とする車両整備用リフト装置の電源監視装置。
【請求項２】
前記照明装置は、リフト作業ストール内に設けられたリール収納ＢＯＸに設けられていることを特徴とする請求項１に記載の車両整備用リフト装置の電源監視装置。
【請求項３】
前記照明装置は、リフト作業ストール内の床面に設けられていることを特徴とする請求項１に記載の車両整備用リフト装置の電源監視装置。
【発明の詳細な説明】
【技術分野】
【０００１】
本発明は、車両整備用リフト装置の電源監視装置、特に、車両整備用リフト装置の元電源の接続と遮断（切断）の状況を容易に識別できる監視装置に関するものである。
【背景技術】
【０００２】
車両整備用リフト装置は、図３に示すように、リフトａと、該リフトａを昇降する、モータ・ポンプ等からなる昇降装置ｂと、該昇降装置ｂを制御する制御装置ｃとよりなり、前記昇降装置ｂの電源線ｄは、前記制御装置ｃを介して、配線用遮断器（一次ブレーカー）ｅに接続され、そして、該配線用遮断器ｅに元電源を供給する元電源線ｆが接続される。
【０００３】
そして、前記配線用遮断器ｅにより、前記電源線ｄと前記元電源線ｆとの接続、又は遮断（切断）がなされ、これにより、前記昇降装置ｂの元電源の接続、又は遮断されるようになる。
【０００４】
なお、複数の車両整備用リフト装置がある場合には、それぞれ対応する配線用遮断器が設けられ、各リフト装置ごとに、元電源の接続、又は遮断がなされるようになる。
【０００５】
前記車両整備用リフト装置の昇降装置ｂは、前記制御装置ｃにより操作され、該制御装置を操作しなければ、動くことがないが、該制御装置ｃ等の作動用配線が、経年変化等により、接触不良を起こし、該制御装置ｃを操作しない場合でも、前記昇降装置ｂの元電源が遮断されていないと、該昇降装置ｂが不意に動いてしまう危険性がある。
【０００６】
従って、夜間など、人が、リフト作業ストール内に人がいないような場合には、前記昇降装置ｂの電源線ｄの前記配線用遮断器ｅを遮断して、前記昇降装置ｂの元電源を遮断し、事故の防止を図っている。
【０００７】
例えば、車両整備用リフトとしては、特許文献１に記載のものがある。
【先行技術文献】
【特許文献】
【０００８】
【特許文献１】特開２００５−７５６０４号公報
【発明の概要】
【発明が解決しようとする課題】
【０００９】
しかしながら、前記配線用遮断器ｅが、リフト装置から離れた場所にあるなど、該配線用遮断器ｅの遮断を忘れる場合があり、危険があった。
【００１０】
本発明は、上記の問題点を解決することを目的とする。
【課題を解決するための手段】
【００１１】
本発明の車両整備用リフト装置の電源監視装置は、元電源を供給する元電源線に接続される配線用遮断器に接続する車両整備用リフト装置の昇降装置の電源線と、該電源線から分岐して設けた分岐電源線と、該分岐電源線に接続した照明装置とよりなり、前記配線用遮断器は、前記元電源線と昇降装置の電源線との接続、又は遮断を行うように構成されると共に、該照明装置は、前記配線用遮断器の前記接続、又は遮断に応じて、点灯、又は消灯するように構成されていることを特徴とする。
【発明の効果】
【００１２】
本発明によれば、車両整備用リフト装置の昇降装置の元電源の切り忘れを防止できる。
【図面の簡単な説明】
【００１３】
【図１】本発明の車両整備用リフト装置の監視装置の配線図である。
【図２】本発明のリール収納ＢＯＸの斜視図である。
【図３】従来の車両整備用リフト装置の配線図である。
【発明を実施するための形態】
【００１４】
以下、図１、図２によって本発明の実施例を説明する。
【実施例１】
【００１５】
図１は本発明の車両整備用リフト装置の電源監視装置の配線図を示し、１は、リフト作業ストール内に設けられた車両整備用リフト装置のリフト、２は、該リフト１を昇降させる、例えば、モーターとポンプ等により構成された昇降装置、３は、前記昇降装置２を制御する制御装置を示し、前記昇降装置２の電源線４は、前記制御装置３を介して、配線用遮断器（一次ブレーカー）５に接続され、そして、該配線用遮断器５に、元電源を供給する元電源線６が接続される。
【００１６】
そして、前記配線用遮断器５により、前記昇降装置２の電源線４と前記元電源線６との接続、又は遮断（切断）がなされ、これにより、前記昇降装置２の元電源が接続、又は遮断されるようになる。
【００１７】
なお、複数の車両整備用リフト装置がある場合には、それぞれ対応する配線用遮断器が設けられ、各リフト装置ごとに、元電源の接続、又は遮断がなされるようになる。
【００１８】
また、前記昇降装置２の電源線４の、前記配線用遮断器５と前記制御装置３間の遮断器側電源線４ａ中の分岐点７から分岐電源線８を分岐させて設け、該分岐電源線８を、リフト作業ストール内の照明装置９に接続し、該照明装置９の点灯、又は消灯を、前記配線用遮断部５の前記電源線４と前記元電源線６との接続、又は遮断に対応するように構成する。
【００１９】
前記照明装置９としては、例えば、リフト作業ストール内の天井や壁に設けた、リール収納ＢＯＸの外周に設けた照明装置がある。
【００２０】
該リール収納ＢＯＸは、例えば、図２に示すように、矩形状の箱体１０からなり、該箱体１０の下部の開口部１１から、前記車両整備用リフト装置の操作器１２やリフト作業用ライト１３やエアー装置１４などのコード１２ａ、１３ａ、１４ａが収納されたもので、必要な時のみ、前記操作器等のコードを引き出して使用し、該操作器等を使用しない場合には、該操作器等のコードを前記リール収納ＢＯＸに収納して、リフト作業ストール内での整頓がなされている。
【００２１】
そして、近年、リフト作業ストール内に、作業者以外の人が立ち入る場合もあることから、前記リール収納ＢＯＸなどが装飾化され、図２に示すように、該リール収納ＢＯＸの箱体１０の縁部にＬＥＤなどの装飾照明１５を施される場合があり、かかる装飾照明１５を前記照明装置９として使用してもよい。
【００２２】
また、前記車両整備用リフト装置の操作器が収納されたリール収納ＢＯＸに照明装置９を設けた場合には、リール収納ＢＯＸを見ただけで、該リール収納ＢＯＸ内にある操作器に対応するリフト装置の元電源の監視ができるようになる。
【００２３】
また、前記照明装置９としては、例えば、リフト作業ストール内の天井などの上部に設けた、下方を照らす照明装置や、壁などの側部に設けた、側方から照らす照明装置や、床面などの下部に設けた、下方から上方を照らす照明装置や、リフト作業用ライトなどの照明装置などがある。
【００２４】
次に、本発明の車両整備用リフト装置の電源監視装置の作用と効果を説明する。
【００２５】
リフト作業ストール内で、リフト作業を開始するために、前記配線用遮断器５をＯＮとして、一次電源を接続する。
【００２６】
これにより、車両整備用リフト装置に元電源が供給されると共に、前記リフト作業ストール内の照明装置９が点灯する。
【００２７】
そして、前記照明装置９の点灯により、前記車両整備用リフト装置に元電源が供給されてことが視覚的に分かるようになる。
【００２８】
リフト作業終了後は、前記配線用遮断器５をＯＦＦとして、元電源を遮断する。
【００２９】
これにより、車両整備用リフト装置に元電源が遮断され、該リフト装置が使用できなくなると共に、前記リフト作業ストール内の照明装置９が消灯する。
【００３０】
そして、該照明装置９の消灯により、前記車両整備用リフト装置に元電源が供給されていないことが視覚的に分かるようになる。
【００３１】
従って、前記配線用遮断器５がＯＦＦにされないと、リフト作業ストール内の照明装置９が点灯され続けるので、リフト作業終了後には、該配線用遮断器５をＯＦＦするようになり、安全性が高まるようになる。
【産業上の利用可能性】
【００３２】
本発明の車両整備用リフト装置の監視装置は、リフト装置を有する工場、整備場等に有用である。
【符号の説明】
【００３３】
１      リフト
２      昇降装置
３      制御装置
４      電源線
４ａ    遮断器側電源線
５      配線用遮断器
６      元電源線
７      分岐点
８      分岐電源線
９      照明装置
１０    箱体
１１    開口部
１２    操作器
１３    作業用ライト
１４    エアー装置
１５    装飾照明
【図１】
2018002111.tif 000003
【図２】
2018002111.tif 000004
【図３】
2018002111.tif 000005